(57)【要約】      （修正有）【課題】上桟の形状が異なる種々の簾に容易に取り付けできる簾巻上げ器を提供する。【解決手段】主巻上げ器本体と従巻上げ器本体の上桟１０１への取付手段を該主巻上げ器本体と従巻上げ器本体に設けたベルト取付孔４の前側に基端拡大部５ａを係止した取付ベルト５を上桟１０１に巻回したうえ該取付ベルト５の先端を該主巻上げ器本体と従巻上げ器本体に設けたベルト挿通孔に挿通させて先方側に該取付ベルト５の長手方向に多数設けた係止部５ｂを本体の前面に設けた係止部７に係合させて行なう。【選択図】図５
0003167693.tif 000002
【実用新案登録請求の範囲】
【請求項１】
簾の上桟に取り付ける主巻上げ器本体と該主巻上げ器本体の上部後側に一端を固定して他端を自由端として該主巻上げ器本体に設けた主滑車部に巻き掛けて一端と主滑車部との間の下方に形成される弧状受部を簾の下桟に臨ませて前記自由端の先端を引き手部に形成した主巻上げ紐とよりなる主巻上げ器と、
簾の上桟に取り付ける従巻上げ器本体と該従巻上げ器本体の上部後側に一端を固定して他端を自由端として該従巻上げ器本体に設けた従滑車部に巻き掛けて一端と主滑車部との間の下方に形成される弧状受部を簾の下桟に臨ませてさらに前記従滑車部に巻き掛けた自由端側の先方を前記主巻上げ器本体に設けた主滑車部に巻き掛けて前記主巻上げ紐の引き手紐部と並設した引き手紐部を有してなる従巻上げ紐とよりなる従巻上げ器と、よりなる簾巻上げ器にであって、
前記主巻上げ器本体と従巻上げ器本体の上桟への取付手段を該主巻上げ器本体と従巻上げ器本体に設けたベルト取付孔の前側に基端拡大部を係止して該主巻上げ器本体と従巻上げ器本体の後面側に向け挿通した取付ベルトを上桟に巻回したうえ該取付ベルトの先端を該主巻上げ器本体と従巻上げ器本体に設けたベルト挿通孔に後側から前側に向けて挿通させて先方側に該取付ベルトの長手方向に多数設けた係止部を本体の前面に設けた係止部に係合させたものとしたことを特徴とする簾巻上げ器。
【請求項２】
前記主巻上げ器本体と従巻上げ器本体の上桟への取付手段における、ベルト取付孔を該主巻上げ器本体と従巻上げ器本体の上方に、ベルト挿通孔を主巻上げ器本体と従巻上げ器本体の下方に設けて、また、主巻上げ器本体と従巻上げ器本体の前面に設ける係止部を前記ベルト取付孔とベルト挿通孔との間に設けた請求項１に記載の簾巻上げ器。
【請求項３】
前記取付ベルトにベルト取付孔の後縁に係止する抜け止突起を設けた請求項１又は２に記載の簾巻上げ器。
【請求項４】
前記取付ベルトをゴム板製とした請求項１〜３の何れか１項に記載の簾巻上げ器。
【請求項５】
前記取付ベルトを取り付けるベルト取付孔は扁平筒状体として、該扁平筒状体を前記主巻上げ器本体と従巻上げ器本体の上部後側に連設した請求項１〜４の何れか１項に記載の簾巻上げ器。
【請求項６】
前記扁平筒状体の上板部の後方に前記主巻上げ紐又は従巻上げ紐の基端を固定する孔付鍔板部を延設した請求項５に記載の簾巻上げ器。
【請求項７】
前記主巻上げ器本体に設けた主滑車部の側部に該主滑車部に巻き掛けた主巻上げ紐と従巻上げ紐を停止状態とするストッパ部を設けた請求項１〜６の何れか１項に記載の簾巻上げ器。
【請求項８】
前記主巻上げ器本体と従巻上げ器本体の上端に窓枠等の上枠部に取り付けた吊下げ金具への吊掛部を一体に設けた請求項１〜７の何れか１項に記載の簾巻上げ器。
【考案の詳細な説明】
【技術分野】
【０００１】
本考案は、上桟の形状が異なる種々の簾に容易に取り付けることができる簾巻上げ器に関するものである。
【背景技術】
【０００２】
簾巻上げ器としては、例えば、特許文献１（登録実用新案第３００１０４１号公報）や特許文献２（特開２００２−１９１４９５号公報）に記載のものが知られている。
【０００３】
前記特許文献１に開示されているものは、簾へ取り付けは簾の上部枠にＵ字型枠を嵌め込んでねじで固定するものであり、上部枠の幅がＵ字型枠の幅より大きな簾にあっては取り付けできないものであった。
【０００４】
また、特許文献２に開示されているものは、簾の上桟をクリツプ状のフックにより挟み込んで取り付けるものであり、上桟が割り竹よりなる扁平なものにしか対応できないものであった。
【先行技術文献】
【特許文献】
【０００５】
【特許文献１】登録実用新案第３００１０４１号公報
【特許文献２】特開２００２−１９１４９５号公報
【考案の概要】
【考案が解決しようとする課題】
【０００６】
本考案は前記のような問題を解決して、上桟の形状が異なる種々の簾に容易に取り付けできる簾巻上げ器を提供することを目的として完成されたものである。
【課題を解決するための手段】
【０００７】
本考案の簾巻上げ器は、簾の上桟に取り付ける主巻上げ器本体と該主巻上げ器本体の上部後側に一端を固定して他端を自由端として該主巻上げ器本体に設けた主滑車部に巻き掛けて一端と主滑車部との間の下方に形成される弧状受部を簾の下桟に臨ませて前記自由端の先端を引き手部に形成した主巻上げ紐とよりなる主巻上げ器と、
簾の上桟に取り付ける従巻上げ器本体と該従巻上げ器本体の上部後側に一端を固定して他端を自由端として該従巻上げ器本体に設けた従滑車部に巻き掛けて一端と主滑車部との間の下方に形成される弧状受部を簾の下桟に臨ませて、さらに前記従滑車部に巻き掛けた自由端側の先方を前記主巻上げ器本体に設けた主滑車部に巻き掛けて前記主巻上げ紐の引き手紐部と並設した引き手紐部を有してなる従巻上げ紐とよりなる従巻上げ器と、よりなる簾巻上げ器にであって、
前記主巻上げ器本体と従巻上げ器本体の上桟への取付手段を、該主巻上げ器本体と従巻上げ器本体に設けたベルト取付孔の前側に基端拡大部を係止して該主巻上げ器本体と従巻上げ器本体の後面側に向け挿通した取付ベルトを上桟に巻回したうえ該取付ベルトの先端を該主巻上げ器本体と従巻上げ器本体に設けたベルト挿通孔に後側から前側に向けて挿通させて先方側に該取付ベルトの長手方向に多数設けた係止部を本体の前面に設けた係止部に係合させたものとしたことを特徴とするものを基本の考案とする。
【０００８】
そして、前記主巻上げ器本体と従巻上げ器本体の上桟への取付手段における、ベルト取付孔を該主巻上げ器本体と従巻上げ器本体の上方に、ベルト挿通孔を主巻上げ器本体と従巻上げ器本体の下方に設けて主巻上げ器本体と従巻上げ器本体の前面に設ける係止部を前記ベルト取付孔とベルト挿通孔の間に設けることが好ましいものである。
【０００９】
また、前記取付ベルトにベルト取付孔の後縁に係止する抜け止突起を設けることが好ましい。また、前記取付ベルトをゴム板製とすることが好ましい。さらに、前記取付ベルトを取り付けるベルト取付孔は扁平筒状体として前記主巻上げ器本体と従巻上げ器本体の上部後側に連設したものとすることが好ましいものである。また、該扁平筒状体の上板部の後方に前記主巻上げ紐又は従巻上げ紐の基端を固定する孔付鍔板部を延設することが好ましい。
【００１０】
また、前記主巻上げ器本体に設けた主滑車部の側部に該主滑車部に巻き掛させた主巻上げ紐と従巻上げ紐を停止状態とするストッパ部を設けてもよい。
【００１１】
また、前記主巻上げ器本体と従巻上げ器本体の上端に窓枠等の上枠部に取り付けた吊下げ金具への吊掛部を一体に設けることが好ましいものである。さらに、簾の幅が広い場合には上桟の吊掛部を一体に設けた主巻上げ器本体と従巻上げ器本体との間に調整ベルトを巻き掛して吊下げ金具に係止して上桟の撓みを防止してもよい。
【考案の効果】
【００１２】
前記した本考案の簾巻上げ器は、主巻上げ紐の引き手紐部と並設した従巻上げ紐の引き手紐部を一緒に引き下げれば、主巻上げ紐は主滑車部を支点に、従巻上げ紐は主滑車部を介して従滑車部を支点に簾の下桟に臨ませた夫々の弧状受部は引き上げられて簾は下桟を芯に上方に巻き上げることができるものである。
【００１３】
そして、前記主巻上げ器本体と従巻上げ器本体の上桟への取付手段を該主巻上げ器本体と従巻上げ器本体に設けたベルト取付孔の前側に基端拡大部を係止して後側に向け挿通した取付ベルトを上桟に巻き掛けたうえ先端を該主巻上げ器本体と従巻上げ器本体に設けたベルト挿通孔に後側から前側に向けて挿通させて先方側に該取付ベルトの長手方向に多数設けた係止部を本体の前面に設けた係止部に係合させたものとしたので、多数設けた係止部を選択することにより上桟の断面形状が種々のもの、例えば、割り竹よりなる扁平状、丸竹、丸棒等の円形状さらには四角形状のものにあっても容易に且つ的確に取り付けできるものである。また、上桟の下端の係止切欠の有無に関係なく取り付けできるものである。また、前記取付ベルトをゴム板製とすることによりその伸縮を利用して上桟に強固に取り付けできるものである。さらに、取付ベルトはベルト取付孔に取り付けるものであるから、劣化、破損した場合には取付ベルトのみを交換することができる。
【００１４】
また、前記主巻上げ器本体と従巻上げ器本体の上桟への取付手段において、ベルト取付孔を該主巻上げ器本体と従巻上げ器本体の上方に、ベルト挿通孔を該主巻上げ器本体と従巻上げ器本体の下方に設けて該主巻上げ器本体と従巻上げ器本体の前面に設ける係止部を前記ベルト取付孔とベルト挿通孔の間に設けることにより、取付ベルトの先端が上向きとなり該主巻上げ器本体と従巻上げ器本体の下方に設けた主滑車部又は従滑車部に干渉することがなく主巻上げ紐又は従主巻上げ紐の引き上げ、引き下げを円滑に行なうことができるものである。
【００１５】
また、前記取付ベルトにベルト取付孔の後縁に係止する抜け止突起を設けることにより、保管時に取付ベルトが外れて紛失する虞のないものである。さらに、前記取付ベルトを取り付けるベルト取付孔は扁平筒状体として前記主巻上げ器本体と従巻上げ器本体の上部後側に連設すれば、該扁平筒状体の下面と該主巻上げ器本体・従巻上げ器本体本体の後面とにより鉤状の係止部が形成されるので、該鉤状の係止部を簾の上桟へ係止して前記主巻上げ器本体と従巻上げ器本体への取り付けを行うことができるので、取付ベルトの上桟への巻き掛が容易なものとなる。また、該扁平筒状体の上板部の後方に主巻上げ紐又は従巻上げ紐の基端を固定する孔付鍔板部を延設することにより主巻上げ紐又は従巻上げ紐の固定作業が容易なものとなる。
【００１６】
また、前記主巻上げ器本体に設けた主滑車部の側部に該主滑車部に巻き掛けた主巻上げ紐と従巻上げ紐を停止状態とするストッパ部を設けておけば、所定の巻上げ量となったところで引き手紐部をストッパ部により停止して簾の巻上げた状態を維持でき、別異に主巻上げ紐と従巻上げ紐を係止するためのフック部を窓枠等に設置しなくても良いものである。
【００１７】
また、前記主巻上げ器本体と従巻上げ器本体の上端に吊掛部を一体に設けることにより、簾巻上げ時に主巻上げ紐と従巻上げ紐により主滑車部と従主滑車部に加わる荷重は吊掛部の真上方向となるので、上桟が傾いて歪む虞のないものである。
【図面の簡単な説明】
【００１８】
【図１】本考案の実施形態を示す概略的な斜視図。
【図２】本考案の実施形態に使用する主巻上げ器本体を示す一部切欠正面図。
【図３】図２のＡ−Ａ断面図。
【図４】本考案の実施形態に使用する主巻上げ器本体を示す一部切欠側面図。
【図５】本考案の実施形態に使用する主巻上げ器本体を上桟に取り付けた一態様を示す一部切欠側面図。
【図６】本考案の実施形態に使用する主巻上げ器本体を示す背面側からの斜視図。
【図７】本考案の実施形態に使用する取付ベルトを示す図であり、（Ｂ）は正面図、（Ｃ）は側面図。
【図８】本考案の実施形態に使用する従巻上げ器本体を示す一部切欠正面図。
【図９】図８のＤ−Ｄ断面図。
【図１０】本考案の実施形態の他例を示す概略的な斜視図。
【考案を実施するための形態】
【００１９】
次に、本考案の好ましい実施の形態を図面に基づき説明する。
先ず、図１は本考案の実施形態を示す概略的な斜視図であり、１は主巻上げ器、２は従巻上げ器、１００は簾である。
【００２０】
前記主巻上げ器１は、簾１００の上桟１０１の前方に取り付けるポリプロピレンよりなる縦長板状の主巻上げ器本体１０と該主巻上げ器本体１０の上部後側に一端を固定して他端を自由端として該主巻上げ器本体１０の前方下端に形成した枠部１０ａに設けた主滑車部１１に巻き掛させて下方に形成される弧状受部１２ａを簾１０１の下方に臨ませて前記自由端の先端を引き手部１２ｂに形成した主巻上げ紐１２とよりなるものとしている。
【００２１】
また、前記従巻上げ器２は、簾１００の上桟１０１の前方に取り付けるポリプロピレンよりなる縦長板状の従巻上げ器本体２０と該従巻上げ器本体２０の上部後側に一端を固定して他端を自由端として該従巻上げ器本体２０の前方下端に形成した枠部１０ａに設けた従滑車部２１に巻き掛させて下方に形成される弧状受部２２ａを簾１０１の下方に臨ませてさらに前記従滑車部２１に巻き掛させた自由端側の先方を前記主巻上げ器本体１０に設けた主滑車部１１に巻き掛さて前記主巻上げ紐１２の引き手紐部１２ｂと並設した引き手紐部２２ｂを有してなる従巻上げ紐２２とよりなるものとしている。
【００２２】
また、前記主巻上げ器本体１０に設けた主滑車部１１の側部に該主滑車部１１に巻き掛させた主巻上げ紐１２と従巻上げ紐２２を停止状態とするストッパ部３を設けている。該ストッパ部３は主巻上げ紐１２と従巻上げ紐２２側に噛み爪３２を多数設けた駒体３３の上部を前記枠部１０ａに架設した軸部３１に軸支したものである。このようなストッパ部３は、主巻上げ紐１２と従巻上げ紐２２を引き下げると駒体３３の噛み爪３２側の下方が開き該噛み爪３２の主巻上げ紐１２と従巻上げ紐２２の喰い込みが解除されて、主巻上げ紐１２と従巻上げ紐２２を引き下げて簾を巻き上げることができるものである。簾を巻き上げた状態を維持する場合は主巻上げ紐１２と従巻上げ紐２２をストッパ部側３に振ると噛み爪３２が主巻上げ紐１２と従巻上げ紐２２の側面に喰い込むこととなり、主巻上げ紐１２と従巻上げ紐２２のストッパ部側３への振りを止めれば、主巻上げ紐１２と従巻上げ紐２２には巻き上げた簾の荷重が掛かっているので、両主巻上げ紐１２と従巻上げ紐２２には上方に引き上げられているので、前記噛み爪３２が食い込まれた状態のままとなり、主滑車部１１との間で該主巻上げ紐１２と従巻上げ紐２２が停止状態を維持して簾の巻上げ状態を保持することとなる。
【００２３】
また、前記主巻上げ器本体１０と従巻上げ器本体２０の上桟１０１への取付手段は、同じであるので、主巻上げ器本体１０を主に図により説明して、従巻上げ器本体２０はこれら図を援用する。
【００２４】
すなわち、前記主巻上げ器本体１０と従巻上げ器本体２０の上桟１０１への取付手段は、前記主巻上げ器本体１０と従巻上げ器本体２０に設けたベルト取付孔４の前側に基端拡大部５ａを係止して前記主巻上げ器本体１０と従巻上げ器本体２０の後側に向け挿通した取付ベルト５を上桟１０１に巻き掛けて先端を前記主巻上げ器本体１０と従巻上げ器本体２０に設けたベルト挿通孔６に前記主巻上げ器本体１０と従巻上げ器本体２０の前側に向けて挿通させて先方側に該取付ベルト５の長手方向に多数設けた係止部５ｂを前記主巻上げ器本体１０と従巻上げ器本体２０の前面に設けた係止部７に係合させたものとしたので、多数設けた係止部５ｂを選択することにより上桟１０１の断面形状が種々のもの、例えば、割り竹よりなる扁平状、丸竹、丸棒等の円形状さらには四角形状のものにあっても容易に且つ的確に取り付けできるものである。また、上桟の下端の係止切欠の有無に関係なく取り付けできるものである。また、前記取付ベルト５を合成ゴムよりなるゴム板製とすることによりその伸縮を利用して上桟に強固に取り付けできるものである。
【００２５】
なお、前記取付ベルト５の長手方向に多数設けた係止部５ｂは孔状として、また、前記主巻上げ器本体１０と従巻上げ器本体２０の前面に設けた係止部７は先端上部に鉤部を設けた突起としたものである。また、
前記取付ベルト５はベルト取付孔４に取り付けるものであるから、劣化、破損した場合には取付ベルト５のみを交換することができ、全体を交換する必要がなく経済的なものである。
【００２６】
なお、前記主巻上げ器本体１０と従巻上げ器本体２０の上桟１０１への取付手段のベルト取付孔４を縦長板状の前記主巻上げ器本体１０と従巻上げ器本体２０の上方に、ベルト挿通孔６を前記主巻上げ器本体１０と従巻上げ器本体２０の下方に設けて前記主巻上げ器本体１０と従巻上げ器本体２０の前面に設ける係止部７を前記ベルト取付孔４とベルト挿通孔６の間に設け、取付ベルト５の先端が上向きとなり前記主巻上げ器本体１０又は従巻上げ器本体２０の下方に設けた主滑車部１１又は従滑車部２１に干渉することがなく主巻上げ紐１２又は従主巻上げ紐２２の引き上げ、引き下げを円滑に行なうことができるものとしている。
【００２７】
また、前記取付ベルト５にベルト取付孔４の後縁４ｂに係止する抜け止突起５ｃを設けてあり、ベルト取付孔４の前側から該取付ベルト５が抜け出ることを防止して保管時において取付ベルト５が外れて紛失する虞のないものとしている。さらに、前記取付ベルト５を取り付けるベルト取付孔４は扁平筒状体４０として前記主巻上げ器本体１０と従巻上げ器本体２０の上部後側に連設すれば、該扁平筒状体４０の下面４０ａと前記主巻上げ器本体１０と従巻上げ器本体２０の後面とにより鉤状の係止部（イ）が形成されるので、該鉤状の係止部（イ）を簾１００の上桟１０１へ係止して前記主巻上げ器本体１０と従巻上げ器本体２０の取り付けを行うことができるので、取付ベルト５の上桟１０１への巻き掛け作業が容易なものとなる。
【００２８】
また、前記扁平筒状部４０の上板部４０ｂの後方に主巻上げ紐１２又は従巻上げ紐２２の基端を固定する孔付鍔板部８を延設することにより、主巻上げ紐１２又は従巻上げ紐２２の基端を該孔付鍔板部８の孔部８ａに挿通して結縛すればよいので固定作業が容易なものとすることができる。
【００２９】
また、前記主巻上げ器本体１０と従巻上げ器本体２０の上端に吊掛部９を一体に設けることにより、簾巻上げ時に主巻上げ紐１２と従巻上げ紐２２により主滑車部１１と従滑車部２１に加わる引き上げ荷重は吊掛部９の真上方向となるので、上桟１０１が傾いて歪む虞がないので簾１００を傾くことなく巻き上げることができて、簾１００の下方に臨ませた主巻上げ紐１２と従巻上げ紐２２に形成した弧状受部１２ａ、２２ａが簾１００の下方から外れて巻き上げ不良を起こすことがないものである。
【００３０】
さらに、簾１００の幅が広い場合、例えば１間幅の１８０ｃｍ前後の場合には図１０に示すように吊掛部９を一体に設けた主巻上げ器本体１０と従巻上げ器本体２０との間に位置する上桟１０１部分に吊り下げ調整ベルト９ａを巻き掛けて吊下げ金具（ロ）に係止して上桟の撓みを防止してもよい。
【符号の説明】
【００３１】
１   主巻上げ器
２   従巻上げ器
100  簾
10   主巻上げ器本体
10a  枠部
11   主滑車部
12   主巻上げ紐
12a  弧状受部
12b  引き手部
20   従巻上げ器本体
20a  枠部
21   従滑車部
22   主巻上げ紐
22a  弧状受部
22b  引き手部
３   ストッパ部
４   ベルト取付孔
40   扁平筒状体
40b  上板部
５   取付ベルト
5a   基端拡大部
5b   係止部
６   ベルト挿通孔
７   係止部
８   孔付鍔板部
8a   孔部
9    吊掛部
100  簾
101  上桟
【図１】
0003167693.tif 000003
【図２】
0003167693.tif 000004
【図３】
0003167693.tif 000005
【図４】
0003167693.tif 000006
【図５】
0003167693.tif 000007
【図６】
0003167693.tif 000008
【図７】
0003167693.tif 000009
【図８】
0003167693.tif 000010
【図９】
0003167693.tif 000011
【図１０】
0003167693.tif 000012